(57)【要約】 時間をトータルの制御対象とし、対応する合計時間に対応して、洗濯機の内部に運転開始から洗濯終了までの各工程の制御パラメータの組み合わせがプリセットされ、前記合計時間は、運転開始から洗濯終了までの各工程の運転時間の合計であり、ユーザーが合計時間を選択するまたは設定することで、洗濯プログラムの設定を完了できる洗濯機の制御方法および洗濯機。【選択図】図１
2019517353.tif 000002
【特許請求の範囲】
【請求項１】
運転開始から洗濯終了までの各工程の運転時間の合計である合計時間ごとに、洗濯機の内部に運転開始から洗濯終了までの各工程の制御パラメータの組み合わせがプリセットされることと、
合計時間を選択または設定することで、洗濯プログラムの設定を完了できることと、
を含む、洗濯機の制御方法。
【請求項２】
洗濯機の内部に複数の前記合計時間がプリセットされ、洗濯機の操作パネルにおけるボタンまたはプログレスバーを設置することで、合計時間が選択される、請求項１に記載の洗濯機の制御方法。
【請求項３】
洗濯機の内部に複数の前記合計時間がプリセットされ、洗濯機の操作パネルにおけるタッチスライドボタンを設置することで、合計時間が選択される、請求項１に記載の洗濯機の制御方法。
【請求項４】
前記合計時間は、操作パネルにおける時間表示装置により表示される、請求項１に記載の洗濯機の制御方法。
【請求項５】
運転開始から洗濯終了までの期間内に、少なくとも洗濯、濯ぎおよび脱水工程が含まれる、請求項１から４のいずれか１項に記載の洗濯機の制御方法。
【請求項６】
前記合計時間が１２つ設けられ、合計時間のそれぞれに同じ２つの濯ぎ工程および１つの脱水工程が含まれ、各合計時間における洗濯工程に設定される浸漬と洗濯の時間が異なる、請求項１から４のいずれか１項に記載の洗濯機の制御方法。
【請求項７】
１つまたは複数のプロセッサと、メモリと、１つまたは複数のプログラムとを含み、前記１つまたは複数のプログラムは、メモリに記憶され、１つまたは複数のプロセッサにより実行される際に、請求項１から６のいずれか１項に記載の制御方法を実行する、洗濯機。
【請求項８】
洗濯機の操作パネルに設けられ、前記制御方法の選択ボタンとしての「時間別洗濯」ボタンを含む、請求項７に記載の洗濯機。
【請求項９】
操作パネルに設けられ、設定された合計時間のそれぞれに対応する複数のスライドライトとして表示されるタッチスライドボタンを含む、請求項７に記載の洗濯機。
【請求項１０】
前記スライドライトの形状寸法は、前記スライドライトに対応する合計時間の増加に応じて大きくなる、請求項９に記載の洗濯機。
【請求項１１】
請求項１から６のいずれか１項に記載の方法を実行するためのコンピュータ実行可能命令が記憶される、コンピュータ可読記憶媒体。
【発明の詳細な説明】
【技術分野】
【０００１】
本開示は、洗濯機制御の分野に関し、例えば、洗濯機の制御方法および洗濯機に関する。
【背景技術】
【０００２】
人々の生活レベルの向上と生活リズムの加速に伴い、全自動洗濯機は、手数が省け、便利であるため、ますます多く認められて使用される。使用者が洗濯物を投入し、対応の洗剤を入れて操作パネルで対応の制御プログラムを選択し、「運転」ボタンを押すと、洗濯機は、内蔵のプログラムの設定により、洗い、濯ぎ、脱水等の複数の工程を完了する。各工程において、洗濯機は、内蔵のパラメータに応じて各動作を割り当て運転させ、例えば、「洗い」工程では、給水、浸漬、洗濯、バランス等の動作を行う必要があり、「濯ぎ」工程では、排水、低速脱水、高速脱水、通常脱水、ブレーキ、給水、洗濯、バランス等の動作を行う必要があり、「脱水」工程では、排水、低速脱水、高速脱水、通常脱水、ブレーキ等の動作を行う必要がある。
【０００３】
関連技術における洗濯プログラムは、強いまたは柔らかいなど、水流の強弱をロジックとするプログラムであるか、春秋用布団、夏用布団、ダウン等の洗濯物の種類をロジックとするプログラムであるか、あるいはノーアイロン等の衣類洗濯効果をロジックとするプログラムである。上記プログラムは、それぞれの機能を実現するものの、いずれも１つの共通の問題が存在する。使用者としては、上記プログラムの完成時間を把握することができず、プログラムを１回運転するのに１時間以上かかる可能性があり、これは現在の全自動洗濯機が中高年に好まれない原因の１つである。一部のメーカーは、急ぎプログラムを増設するが、ほとんど時間が短く、洗濯効果を考慮していない。そのため、洗濯の合計時間および洗濯効果に注目する洗濯方法を提供する必要がある。
【発明の概要】
【発明が解決しようとする課題】
【０００４】
本開示の課題は、洗濯の合計時間に注目する洗濯方法を提供し、すなわち、使用者が断片化時間を合理的に利用することと洗濯効果とを両立する要求を満たす「時間別洗濯」の洗濯方式を提供するとともに、対応する洗濯機も提供することである。
【課題を解決するための手段】
【０００５】
本開示は、以下の技術案を採用する。
【０００６】
運転開始から洗濯終了までの各工程の運転時間の合計である合計時間ごとに、洗濯機の内部に運転開始から洗濯終了までの各工程の制御パラメータの組み合わせがプリセットされることと、
合計時間を選択または設定することで、洗濯プログラムの設定を完了できることとを含む、洗濯機の制御方法。
【０００７】
オプションとして、洗濯機の内部に複数の前記合計時間がプリセットされ、洗濯機の操作パネルにおけるボタンまたはプログレスバーを設置することで、合計時間が選択される。
【０００８】
オプションとして、洗濯機の内部に複数の前記合計時間がプリセットされ、洗濯機の操作パネルにおけるタッチスライドボタンを設置することで、合計時間が選択される。
【０００９】
オプションとして、前記合計時間は、操作パネルにおける時間表示装置により表示される。
【００１０】
オプションとして、運転開始から洗濯終了までの期間内に、少なくとも洗濯、濯ぎおよび脱水工程が含まれる。
【００１１】
オプションとして、前記合計時間が１２つ設けられ、合計時間のそれぞれに同じな２つの濯ぎ工程および１つの脱水工程が含まれ、各合計時間における洗濯工程に設定される浸漬と洗濯の時間が異なる。
【００１２】
１つまたは複数のプロセッサと、メモリと、１つまたは複数のプログラムとを含み、前記１つまたは複数のプログラムは、メモリに記憶され、１つまたは複数のプロセッサにより実行される際に、上記いずれか１種の制御方法を実行する洗濯機。
【００１３】
オプションとして、前記洗濯機は、
洗濯機の操作パネルに設けられ、前記制御方法の選択ボタンとしての「時間別洗濯」ボタンを含む。
【００１４】
オプションとして、前記洗濯機は、
操作パネルに設けられ、設定された合計時間のそれぞれに対応する複数のスライドライトとして表示されるタッチスライドボタンを含む。
【００１５】
オプションとして、
前記スライドライトの形状寸法は、前記スライドライトに対応する合計時間の増加に応じて大きくなる。
【００１６】
本実施例は、上記方法を実行するためのコンピュータ実行可能命令が記憶されるコンピュータ可読記憶媒体を更に提供する。
【００１７】
本実施例は、コンピュータに実行されると前記コンピュータに上記いずれか１種の方法を実行させるコンピュータプログラムであって、非一時的コンピュータ可読記憶媒体に記憶されるコンピュータプログラムを備えるコンピュータプログラム製品を更に提供する。
【発明の効果】
【００１８】
本開示は、時間を制御対象とする洗濯機の制御方法を提供する。該制御方法によれば、使用者が必要な合計時間を選択または設定することで、洗濯機は、該合計時間に対応する制御パラメータの組み合わせに応じて、運転開始から洗濯終了までの各工程の動作を完了するように制御し、それにより、洗濯プログラムの設定を迅速に行うことができ、洗濯工程全体にかかる合計時間を効果的に把握することができるとともに、良好な洗浄効果を兼ねる。
【図面の簡単な説明】
【００１９】
【図１】本実施例に記載の洗濯機の操作パネルの模式図である。
【図２】本実施例に記載の合計時間に対応する洗濯の各工程の配置パラメータテーブルである。
【図３】本実施例に係る洗濯機のハードウェアの構造模式図である。
【発明を実施するための形態】
【００２０】
以下、図面を参照しながら具体的な実施形態を用いて本開示の技術案を説明する。矛盾しない限り、以下の実施例および実施例における特徴は、互いに組み合わせることができる。出願人は、洗濯工程が洗濯、濯ぎ、脱水等の複数の工程を含み、制御プログラム全体にとって、核心は上記各動作の組み合わせであり、特に各工程の運転時間の制御は、洗濯の結果および洗濯の洗浄度に影響を及ぼすことを発見した。一般の使用者として、上記各動作パラメータを組み合わせて好ましい洗濯プログラムにすることは比較的困難であり、メーカーとして、実験や検証を繰り返すことで、異なる目的の洗濯プログラムを得ることができる。
【００２１】
図１に示すように、本実施例に記載の洗濯機の操作パネルの模式図が提供され、操作パネルに「プロ洗濯」ボタンが設けられるとともに、「時間別洗濯」ボタンが設けられている。
【００２２】
前記「時間別洗濯」ボタンは、本実施例に記載の洗濯機の制御方法の選択ボタンである。該制御方法は、時間をトータルの制御対象とし、異なる合計時間に応じて、洗濯機の内部に運転開始から洗濯終了までの各工程の制御パラメータの組み合わせがプリセットされる。ここで、前記合計時間は、運転開始から洗濯終了までの各工程の運転時間の合計であり、合計時間を選択または設定するで、洗濯プログラムの設定を完了することができる。
【００２３】
オプションとして、洗濯機の内部に複数の合計時間がプリセットされ、本実施例において、対応する合計時間が１２つプリセットされる。図２に示すように、各合計時間に含まれる洗濯工程および各洗濯工程の操作運転の時間が与えられ、合わせて洗濯機の制御パラメータの組み合わせを形成し、運転開始から洗濯終了までの各工程の動作を完了するように洗濯機を制御するために用いられる。本実施例において、洗濯機は、運転開始から洗濯終了までの期間内に、少なくとも洗濯、濯ぎ、および脱水工程を含み、合計時間のそれぞれに同じ２つの濯ぎ工程および１つの脱水工程が含まれるが、対応する洗濯工程において、設定された浸漬および洗濯の時間が異なる。
【００２４】
オプションとして、ユーザーは、操作パネルに設けられるボタンまたはプログレスバーによって、合計時間を選択することができる。
【００２５】
オプションとして、本実施例において、ユーザーは、操作パネルに設けられるタッチスライドボタンによって、合計時間を選択し、タッチスライドボタンが「時間別洗濯」選択ボタンの右側に位置し、操作パネルに複数のスライドライトとして表示され、各スライドライトが１つの設定された合計時間に対応する。スライドライトの形状寸法は、対応する合計時間の増加に応じて大きくなり、異なるスライドライトに対応する合計時間の大きくなるの傾向を直観的に表示することができ、使用者が選択しやすい。
【００２６】
それと同時に、設定された合計時間を表示するために、操作パネルに、対応する合計時間を表示するための時間表示装置が設けられる。本実施例において、図１における左側のデジタル管が用いられ、該デジタル管は、洗濯機の運転中に合計の残りの時間を表示する。
【００２７】
「プロ洗濯」ボタンはメニューボタンである。
【００２８】
「プロ洗濯」の動作ロジックと「時間別洗濯」のロジックとは相互排他的なものであり、「プロ洗濯」を選択すると、「時間別洗濯」は応答できない。
【００２９】
「プロ洗濯」ボタンを選択し、「プロ洗濯」ライトが全点灯し、「常用」、「急ぎ」、「標準」、「強力」、「家庭用織物」、「ダウン」、「羊毛」、「ノーアイロン」ライトが順番に点灯する。
【００３０】
「プロ洗濯」ボタンを再び選択し、「プロ洗濯」ライトが半点灯し、「常用」、「急ぎ」、「標準」、「強力」、「家庭用織物」、「ダウン」、「羊毛」、「ノーアイロン」ライトが逆順番に点滅する。
【００３１】
「プロ洗濯」プログラムの選択に用いられる場合、デフォルトで「常用」プログラムライトが全点灯し、残りのプログラムライトが半点灯する。
【００３２】
「常用」、「急ぎ」、「標準」、「強力」、「家庭用織物」、「ダウン」、「羊毛」、「ノーアイロン」は、選択されたプログラムライトが全点灯するものの、残りのプログラムライトが半点灯する。
【００３３】
上記応用において、使用者は、従来の水流の強弱をロジックとするプログラム、洗濯物の種類をロジックとするプログラム、または衣類洗濯効果をロジックとするプログラムを選択して使用することができる。
【００３４】
「時間別洗濯」ボタンはメニューボタンである。
【００３５】
「時間別洗濯」の動作ロジックと「プロ洗濯」のロジックとは相互排他的なものであり、「時間別洗濯」を選択すると、「プロ洗濯」は応答できない。
【００３６】
「時間別洗濯」ボタンを選択し、「時間別洗濯」ボタンライトが全点灯し、スライドライト１〜１２（「時間別洗濯」ボタンまでの距離に応じて番号つけ、距離が最も近いものを１とし、距離が最も遠いものを１２とする）は順番に点灯する。
【００３７】
「時間別洗濯」ボタンを再び選択し、「時間別洗濯」ボタンライトが半点灯し、スライドライト１〜１２が逆順番に点滅する。
【００３８】
「時間別洗濯」プログラムの選択に用いられる場合、デフォルトでスライドライト１〜６が全点灯し、残りのスライドライトが半点灯する。
【００３９】
スライドライト１〜１２をタッチ選択してもよく、スライド選択してもよい。
【００４０】
タッチ選択の場合、タッチしたスライドライトおよび該スライドライトの番号よりも小さいスライドライトが全点灯し、残りのスライドライトが半点灯する。
【００４１】
スライド選択の場合、番号１から１２への方向に沿ってスライドする時に、スライドが開始すると、開始点のスライドライトおよび該スライドライトの番号よりも小さいスライドライトが全点灯し、残りのスライドライトが半点灯し、スライド中にスライドしたスライドライトが全点灯し、スライドが終了すると、終点のスライドライトおよび該スライドライトの番号よりも小さいスライドライトが全点灯し、残りのスライドライトが半点灯する。
【００４２】
番号１２から１への方向に沿ってスライドする時に、スライドが開始すると、開始点のスライドライトおよび該スライドライトの番号よりも小さいスライドライトが全点灯し、残りのスライドライトが半点灯し、スライド中にスライドしたスライドライトが半点灯し、スライドが終了すると、終点のスライドライトおよび該スライドライトの番号よりも小さいスライドライトが全点灯し、残りのスライドライトが半点灯する。
【００４３】
本実施例に係る洗濯機は、「時間別洗濯」機能を有する。使用者が必要な合計時間を選択または設定することで、洗濯機は、該必要な合計時間に対応する制御パラメータの組み合わせに応じて、運転開始から洗濯終了までの各工程の動作を完了するように制御し、それにより、洗濯プログラムの設定を迅速に完了することができ、洗濯工程全体にかかる合計時間を効果的に把握することができるとともに、良好な洗浄効果を兼ねる。
【００４４】
本実施例は、上記方法を実行するためのコンピュータ実行可能命令が記憶されるコンピュータ可読記憶媒体を更に提供する。
【００４５】
図３は、本実施例による洗濯機のハードウェアの構造模式図である。図３に示すように、該洗濯機は、１つまたは複数のプロセッサ４１０およびメモリ４２０を備える。図３において、１つのプロセッサ４１０を例とする。
【００４６】
前記洗濯機は、入力装置４３０および出力装置４４０を更に備えてもよい。
【００４７】
前記洗濯機におけるプロセッサ４１０、メモリ４２０、入力装置４３０、および出力装置４４０は、バス接続または他の方式で接続することができ、図３において、バスで接続することを例とする。
【００４８】
入力装置４３０は入力された数字または文字情報を受信することができ、出力装置４４０は表示パネル等の表示装置を含んでもよい。
【００４９】
メモリ４２０は、コンピュータ可読記憶媒体として、ソフトウェアプログラム、コンピュータ実行可能プログラム、およびモジュールを記憶するために用いることができる。プロセッサ４１０は、メモリ４２０に記憶されたソフトウェアプログラム、命令、およびモジュールを運転することにより、複数種の機能応用およびデータ処理を実行し、上記実施例におけるいずれか１種の方法を実現する。
【００５０】
メモリ４２０は、プログラム記憶領域およびデータ記憶領域を含むことができる。ここで、プログラム記憶領域は、オペレーティングシステムと、少なくとも１つの機能に必要なアプリケーションとを記憶することができる。データ記憶領域は、洗濯機の使用に応じて作成されたデータ等を記憶することができる。また、メモリは、ランダムアクセスメモリ（ＲＡＭ：Ｒａｎｄｏｍ  Ａｃｃｅｓｓ  Ｍｅｍｏｒｙ）等の揮発性メモリを含んでもよく、少なくとも１つの磁気ディスク記憶装置、フラッシュメモリ装置、または他の非一時的固体記憶装置のような不揮発性メモリを含んでもよい。
【００５１】
メモリ４２０は、非一時的コンピュータ記憶媒体または一時的コンピュータ記憶媒体であってもよい。該非一時的コンピュータ記憶媒体は、例えば、少なくとも１つの磁気ディスク記憶装置、フラッシュメモリ装置、または他の不揮発性固体記憶装置である。いくつかの実施例において、オプションとして、メモリ４２０は、プロセッサ４１０に対して遠隔設定されたメモリを含んでもよく、これらの遠隔メモリは、ネットワークで洗濯機に接続することができる。上記ネットワークの実施例は、インターネット、イントラネット、ローカルエリアネットワーク、移動通信網およびその組み合わせを含むことができる。
【００５２】
入力装置４３０は、入力された数字または文字情報を受信し、および洗濯機のユーザーの設定および機能制御に関するボタン信号の入力を生成するために用いることができ。出力装置４４０は表示パネル等の表示装置を含むことができる。
【００５３】
本実施例の洗濯機は、通信装置４５０を更に備えてもよく、通信ネットワークにより情報を伝送および／または受信する。
【００５４】
当業者であれば、上記実施例方法における全部または一部の流れを実現するために、コンピュータプログラムにより関連のハードウェアを実行することで完成でき、該プログラムが１つの非一時的コンピュータ可読記憶媒体に記憶することができ、該プログラムが実行する時に、上記方法の実施例のような流れを含んでもよく、そのうち、該非一時的コンピュータ可読記憶媒体は磁気ディスク、光ディスク、読み取り専用メモリ（ＲＯＭ）、またはランダムアクセスメモリ（ＲＡＭ）等であってもよいことが理解できる。
【産業上の利用可能性】
【００５５】
本開示では、必要な合計時間を選択または設定することで、洗濯機は、該合計時間に応じて対応する制御パラメータの組み合わせを選択し、運転開始から洗濯終了までの各工程の動作を完了するように制御し、それにより、洗濯プログラムの設定を迅速に完了することができ、洗濯工程全体にかかる合計時間を効果的に操作することができるとともに、良好な洗浄効果を兼ねる洗濯機の制御方法および洗濯機を提供する。
【図１】
2019517353.tif 000003
【図２】
2019517353.tif 000004
【図３】
2019517353.tif 000005
【国際調査報告】
2019517353.tif 000006
2019517353.tif 000007
2019517353.tif 000008
2019517353.tif 000009